(57)【要約】【課題】現金自動預払機における通帳の吸入速度の設定に対する要求に即応でき、通帳吸入時の違和感を軽減する手段を提供する。【解決手段】挿入された通帳を自動的に吸入して顧客との取引を自動で行う現金自動預払機１において、設定された搬送速度に応じて通帳を搬送する通帳搬送路２４と、通帳の挿入時の吸入速度の設定の選択入力を受付ける手段と、選択された吸入速度の設定の確定指示を受付ける手段と、この確定された吸入速度の設定を記憶する記憶手段と、記憶手段から吸入速度の設定を読出す手段と、読出した吸入速度の設定を通帳の挿入時における通帳搬送路２４の搬送速度として設定する手段とを備える。【選択図】        図６
2008210122.tif 000002
【特許請求の範囲】
【請求項１】
挿入された媒体を自動的に吸入して顧客との取引を自動で行う自動取引装置において、
設定された搬送速度に応じて前記媒体を搬送する媒体搬送手段と、
前記媒体の挿入時の吸入速度の設定の選択入力を受付ける手段と、
該選択された吸入速度の設定の確定指示を受付ける手段と、
該確定された吸入速度の設定を記憶する記憶手段と、
前記記憶手段から前記吸入速度の設定を読出す手段と、
該読出した吸入速度の設定を、前記媒体の挿入時における前記媒体搬送手段の搬送速度として設定する手段と、を備えることを特徴とする自動取引装置。
【請求項２】
請求項１において、
前記吸入速度の設定の選択入力の受付後に、前記媒体のテスト挿入を受付ける手段と、
該テスト挿入の媒体が挿入されたときに、前記選択された吸入速度の設定を、前記テスト挿入の媒体の挿入時における前記媒体搬送手段の搬送速度として設定する手段と、を備えることを特徴とする自動取引装置。
【請求項３】
請求項２において、
前記テスト挿入後に、前記媒体の挿入時の吸入速度の設定変更の選択入力を受付けたときは、前記記憶手段の吸入速度の設定を、前記設定変更された吸入速度の設定に書替える手段と、を備えることを特徴とする自動取引装置。
【請求項４】
挿入された媒体を自動的に吸入して顧客との取引を自動で行う自動取引装置において、
設定された搬送速度に応じて前記媒体を搬送する媒体搬送手段と、
顧客との取引時に、前記媒体の挿入時の吸入速度の設定の選択入力を受付ける手段と、
該選択された吸入速度の設定を記憶する記憶手段と、
前記記憶手段から前記吸入速度の設定を読出す手段と、
該読出した吸入速度の設定を、前記媒体の挿入時における前記媒体搬送手段の搬送速度として設定する手段と、を備えることを特徴とする自動取引装置。
【請求項５】
顧客を個別に識別するための顧客識別子に対応させて顧客が設定した媒体の挿入時の吸入速度の設定が登録された上位装置に接続し、挿入された媒体を自動的に吸入して顧客との取引を自動で行う自動取引装置であって、
設定された搬送速度に応じて前記媒体を搬送する媒体搬送手段と、
顧客との取引時に、前記顧客識別子を認識する手段と、
該認識した顧客識別子を基に、前記上位装置から前記登録された吸入速度の設定を取得する手段と、
該取得した吸入速度の設定を、前記媒体の挿入時における前記媒体搬送手段の搬送速度として設定する手段と、を備えることを特徴とする自動取引装置。
【請求項６】
請求項５において、
顧客との取引時に、前記媒体の挿入時の吸入速度の設定変更の選択入力を受付ける手段と、
該設定変更の選択入力を受付けたときに、該設定変更された吸入速度の設定を、前記上位装置に登録する手段を備えることを特徴とする自動取引装置。
【請求項７】
顧客を個別に識別するための顧客識別子に対応させて顧客が設定した媒体の挿入時の吸入速度の設定が登録された媒体を自動的に吸入して顧客との取引を自動で行う自動取引装置であって、
設定された搬送速度に応じて前記媒体を搬送する媒体搬送手段と、
顧客との取引時に、前記顧客識別子を認識する手段と、
該認識した顧客識別子を基に、前記媒体に登録された吸入速度の設定を取得する手段と、
該取得した吸入速度の設定を、前記媒体の挿入時における前記媒体搬送手段の搬送速度として設定する手段と、を備えることを特徴とする自動取引装置。
【請求項８】
請求項７において、
顧客との取引時に、前記媒体の挿入時の吸入速度の設定変更の選択入力を受付ける手段と、
該設定変更の選択入力を受付けたときに、該設定変更された吸入速度の設定を、前記媒体に登録する手段を備えることを特徴とする自動取引装置。
【発明の詳細な説明】
【技術分野】
【０００１】
本発明は、通帳等の媒体を用いて、顧客との取引を自動で行う現金自動預払機等の自動取引装置に関する。
【背景技術】
【０００２】
従来の現金自動預払機においては、装備された通帳取扱装置で挿入された通帳を吸入する場合に、通帳検出部が通帳の先端を検出すると、通帳検出部により通帳の挿抜を監視しながら上部搬送ローラ、下部搬送ローラおよびその駆動モータからなる通帳搬送路により、通帳を吸入方向に搬送している（例えば、特許文献１参照。）。
この場合の通帳の吸入速度は、通常、予め設定された搬送速度が用いられている。
【特許文献１】特開２０００−４３３５７号公報（主に第３頁段落００１４−００１６、第３図、第４図）
【発明の開示】
【発明が解決しようとする課題】
【０００３】
しかしながら、上述した従来の技術においては、挿入された通帳を吸入するときに予め設定された吸入速度で吸入しているため、現金自動預払機等の自動取引装置を利用する顧客の感覚や、慣れ不慣れにより速すぎたり、遅すぎたりして違和感が生ずる場合があるという問題がある。
また、媒体が通帳の場合には、通帳にしわが寄ったり、折れたまま吸入されたりしてジャムの原因になるという問題がある。
【０００４】
一方、近年においては、取引速度を速くするために吸入速度を速める傾向にあるが、地方等の非繁忙店ではそれほど速めなくてもよい場合があり、金融機関毎のコンセプトの相違、例えば速さを強調したり、やさしさを強調したりの相違によって、現金自動預払機の導入時や移設時における、媒体の吸入速度の設定に対する要求が多様化しており、これらの要求に即応できる自動取引装置への要望が高まってきている。
【０００５】
本発明は、上記の問題点を解決するためになされたもので、媒体の吸入速度の設定に対する要求に即応でき、媒体吸入時の違和感を軽減する手段を提供することを目的とする。
【課題を解決するための手段】
【０００６】
本発明は、上記課題を解決するために、挿入された媒体を自動的に吸入して顧客との取引を自動で行う自動取引装置において、設定された搬送速度に応じて前記媒体を搬送する媒体搬送手段と、前記媒体の挿入時の吸入速度の設定の選択入力を受付ける手段と、該選択された吸入速度の設定の確定指示を受付ける手段と、該確定された吸入速度の設定を記憶する記憶手段と、前記記憶手段から前記吸入速度の設定を読出す手段と、該読出した吸入速度の設定を、前記媒体の挿入時における前記媒体搬送手段の搬送速度として設定する手段とを備えることを特徴とする。
【発明の効果】
【０００７】
これにより、本発明は、自動取引装置毎に媒体の吸入速度の設定を行うことが可能になり、多様化した媒体の吸入速度の設定に対する要求に即応することができる共に、取引時における自動取引装置の吸入速度の設定を変更することが可能になり、顧客の練度に応じた吸入速度の設定により媒体吸入時の違和感を軽減することができるという効果が得られる。
【発明を実施するための最良の形態】
【０００８】
以下に、図面を参照して本発明による自動取引装置の実施例について説明する。
【実施例１】
【０００９】
図１は実施例１の現金自動預払機を示すブロック図、図２は実施例１の現金自動預払機を示す斜視図、図３は実施例１の通帳取扱部を示すブロック図、図４は実施例１の通帳取扱部の概略構成を示す説明図である。
図１、図２において、１は自動取引装置としての現金自動預払機であり、銀行や郵政公社等の金融機関の支店や郵便局、コンビニエンスストア等の店舗に設置され、顧客との間での媒体としての通帳や取引カードを用いた取引処理を自動で行う。
【００１０】
２は金融機関のセンタに設置された上位装置としてのホストコンピュータであり、店舗に設置されている現金自動預払機１と専用回線や電話回線等の通信回線３を介して接続しており、利用者である顧客を個別に識別するための顧客識別子である顧客ＩＤに対応させて顧客の口座の金融機関名、店番号、口座番号等の口座情報やその暗証番号、口座残高等の顧客情報を保有して顧客の口座を管理する。
【００１１】
５は現金自動預払機１の主制御部であり、通信回線３を介してホストコンピュータ２と接続しており、現金自動預払機１内の各部を制御して取引処理等を実行すると共にデータ通信等も制御する。
６は主記憶部であり、主制御部５が実行するプログラムやそれに用いる各種のデータおよび主制御部５による処理結果等が格納される。
【００１２】
７は操作表示部であり、現金自動預払機１の前面に設けられ、ＣＲＴやＬＣＤ等の表示画面とタッチパネル等の入力手段との組合せで構成されており、表示画面に取引選択画面や各種の入力画面、顧客の処置を促す画面等を表示する他、入力手段により顧客からの入力を受付ける。
８はカード取扱部であり、カード挿入口８ａから挿入された顧客のキャッシュカード等の取引カードの磁気ストライプやＩＣチップ等に記録されている顧客ＩＤや顧客の口座情報等のカード情報を読み書きする機能、明細票等に取引内容等を印刷する機能等を有している。
【００１３】
９は媒体取扱装置としての通帳取扱部であり、通帳挿入口９ａから挿入された媒体としての通帳の磁気ストライプやＩＣチップ等に記録されている通帳情報を読み書きする機能を有すると共に取引内容等を顧客の通帳に記帳する機能を有している。
１０は紙幣入出金部であり、入金取引時等に紙幣入出金口１０ａによって顧客が投入した紙幣を受入れ、これを鑑別および計数して収納庫に収納し、出金取引時等に収納庫から顧客に支払う紙幣を繰出し、これを計数して紙幣入出金口１０ａから排出して顧客に引渡す機能を有している。
【００１４】
１１は硬貨入出金部であり、入金取引時等に硬貨入出金口１１ａによって顧客が投入した硬貨を受入れ、これを鑑別および計数して収納庫に収納し、出金取引時等に収納庫から顧客に支払う硬貨を繰出し、これを計数して硬貨入出金口１１ａから排出して顧客に引渡す機能を有している。
１２は係員操作部であり、現金自動預払機１の背面側に設けられ、ＬＣＤ等の表示画面とタッチパネル等の入力手段との組合せで構成されており、表示画面に係員が行う業務処理や取引モードの設定等を行う業務選択画面を表示すると共に、入力手段により係員からの入力を受付ける。
【００１５】
図３、図４において、２１は通帳取扱部９の制御部であり、主制御部５からの指令により、通帳取扱部９の各部を制御して、通帳に記録されている通帳情報の読取書込処理や記帳処理、搬送処理等の各種の通帳処理を実行する。
２２は、記憶部であり、制御部２１が実行するプログラムやそれに用いる各種のデータおよび制御部２１による処理結果等が格納される。
【００１６】
２３は通帳検出部であり、発光部と受光部とを通帳搬送路２４を挟んで対向配置し、発光部からの光を通帳が遮ったことによりその通過を検出する光学式のセンサであって、通帳挿入口９ａの吸入方向の下流側に設けられ、挿入または排出される通帳の先端および後端を検出する機能を有している。
媒体搬送手段としての通帳搬送部２４は、図４に示すように、駆動モータとしてのステッピングモータ２５により図示しないベルトを介して駆動される複数の上部搬送ローラ２６ａと、これらを図示しないスプリング等の押圧機構により押圧して対向配置された下部搬送ローラ２６ｂ等を備えており、ステッピングモータ２５を駆動するパルス数の変更により回転速度を変更して、搬送速度を変更することが可能なように構成されている。
【００１７】
本実施例の通帳搬送路２４は、図５に示すパルステーブルに従って立上げ制御され、搬送速度を遅い速度の定速度Ｖ１に設定するときはパルス数Ｎ１でパルスを供給し、定速度Ｖ１より速い定速度Ｖ２に設定するときは、パルス数Ｎ１より多いパルス数Ｎ２でパルスを供給し、定速度Ｖ２より更に速い定速度Ｖ３に設定するときは、パルス数Ｎ２より更に多いパルス数Ｎ３でパルスを供給し、設定された搬送速度に応じてその搬送速度が変更される。
【００１８】
２７は通帳プリンタであり、プラテンの機能を兼ねる下部搬送ローラ２６ｂに通帳搬送路２４を挟んで対向配置された印刷ヘッド等を備えており、取引内容等を顧客の通帳に記帳する機能を有している。
通帳取扱部９には、上記の他に、搬送された通帳に記録されている通帳情報を読み書きするデータ読取書込部、通帳の頁を１枚毎に捲る頁捲り機構、取忘れ等による通帳を回収するための通帳回収庫等が設けられている。
【００１９】
上記の現金自動預払機１の主記憶部６には、顧客が選択した取引の入力を受付け、これを基にホストコンピュータ２と交信して顧客との取引を自動で行う機能等を有する通常の取引処理プログラムに、挿入された通帳の吸入時の吸入速度の設定の選択入力を受付け、確定された吸入速度の設定を通帳取扱部９の記憶部２２に格納して吸入速度の設定を行う機能を有する吸入速度設定処理プログラム等が追加された業務処理実行プログラムが予め格納されており、主制御部５が実行する業務処理実行プログラムのステップにより本実施例の現金自動預払機１のハードウェアとしての各機能手段が形成される。
【００２０】
ホストコンピュータ２には、現金自動預払機１と交信して本人認証や顧客の口座の入出金を管理する機能等を有する通常の勘定方管理プログラムが予めインストールされており、ホストコンピュータ２が実行する勘定方管理プログラムのステップにより本実施例のホストコンピュータ２のハードウェアとしての各機能手段が形成される。
通帳取扱部９の記憶部２２には、顧客が挿入した通帳の先端を通帳検出部２３が検出したときに、設定された吸入速度で通帳搬送路２４を駆動して通帳を吸入し、吸入後に最速の搬送速度で通帳を搬送して、その通帳の通帳情報の読取りや、取引内容等の通帳プリンタ２７による記帳等をして排出する機能を有する通帳処理プログラムが予め格納されており、制御部２１が実行する通帳処理プログラムのステップにより本実施例の通帳取扱部９のハードウェアとしての各機能手段が形成される。
【００２１】
また、記憶部２２には、主制御部５から受信した速度設定格納指令に添付された確定された通帳の吸入速度の速度レベルを記憶する吸入速度設定記憶エリアが確保されると共に、速度レベルに対応させてステッピングモータ２５に供給する定速度時のパルス数を記した吸入速度設定表が格納されている。
以下に、図６に示すフローチャートを用い、Ｓで示すステップに従って本実施例の吸入速度設定処理について説明する。
【００２２】
Ｓ１、通帳取扱部９を装備した現金自動預払機１の出荷時や、移設時等に、通帳取扱部９の通帳の吸入速度の設定、または設定変更を行う係員は、係員操作部１２の業務選択画面から吸入速度を設定するための操作ボタンを押下する。
これを検知した現金自動預払機１の主制御部５は、吸入速度設定処理プログラムにより、操作表示部７の表示画面に、図７に示す通帳吸入速度設定画面を表示する。
【００２３】
通帳吸入速度設定画面には、吸入速度の設定（本実施例では、速度レベルで設定される。）を段階的（本実施例では、５段階）に表示した速度設定ボタン３１、選択した速度レベルでの吸入状態を確認するテスト挿入を指示するためのテストボタン３２、吸入速度の設定の確定を指示するための確認ボタン３３、吸入速度の設定の取止めを指示するための取消ボタン３４、選択された速度レベルの表示欄３５等が表示される。
【００２４】
係員は、通帳の吸入速度の設定、または設定変更を行うときは、吸入速度とする速度レベルを選択し、その速度レベル（本実施例では、「３」）を表示した速度設定ボタン３１を、選択した速度レベルでの吸入状態を確認するテスト挿入を行うときはテストボタン３２を、選択した吸入速度の設定を確定するときは確認ボタン３３を、吸入速度の設定を取止めるときは取消ボタン３４を押下する。
【００２５】
Ｓ２、主制御部５は、速度設定ボタン３１の押下を待って待機しており、速度設定ボタン３１による吸入速度の設定の選択入力を操作表示部７の入力手段により受付けたときにステップＳ３へ移行する。速度設定ボタン３１が押下されない場合はステップＳ４へ移行する。
Ｓ３、速度設定ボタン３１による選択入力を受付けた主制御部５は、その速度設定ボタン３１の画面上の位置により速度レベルを認識し、認識した速度レベルを表示欄３５に表示すると共に、その速度レベルを主記憶部６に保存する。
【００２６】
Ｓ４、主制御部５は、テストボタン３２の押下を待って待機しており、テストボタン３２によるテスト挿入の指示入力を操作表示部７の入力手段により受付けたときにステップＳ５へ移行する。テストボタン３２が押下されない場合はステップＳ６へ移行する。
Ｓ５、テストボタン３２によるテスト挿入の指示入力を受付けた主制御部５は、主記憶部６に保存されている速度レベルを読出し、これを添付したテスト指令を制御部２１へ送信する。
【００２７】
これを受信した制御部２１は、通帳処理プログラムにより、テスト指令に添付された速度レベルを基に、記憶部２２に格納されている吸入速度設定表を検索し、通帳搬送路２４の吸入時の搬送速度を当該速度レベルの搬送速度に設定するためのステッピングモータ２５へ供給するパルス数を抽出して通帳検出部２３による通帳の先端の検出を待って待機し、通帳検出部２３により通帳挿入口９ａから挿入された通帳の先端の検出したときに、抽出したパルス数でステッピングモータ２５を駆動し、吸入速度として設定された搬送速度で、テスト挿入された通帳を吸入し、通帳検出部２３により通帳の後端を検出した後に所定の時間停止させ、その後に通帳を通帳挿入口９ａから排出する。
【００２８】
このようにして、選択された吸入速度における通帳のテスト挿入が行われる。
Ｓ６、主制御部５は、取消ボタン３４の押下を待って待機しており、取消ボタン３４による設定取止めの指示入力を操作表示部７の入力手段により受付けたときに、吸入速度設定処理を終了させる。取消ボタン３４が押下されない場合はステップＳ７へ移行する。
Ｓ７、主制御部５は、確認ボタン３３の押下を待って待機しており、確認ボタン３３による設定確定の指示入力を操作表示部７の入力手段により受付けたときに、ステップＳ８へ移行する。確認ボタン３３が押下されない場合は、ステップＳ２へ戻り、ステップＳ２、Ｓ４、Ｓ６、Ｓ７による待機を継続する。
【００２９】
Ｓ８、確認ボタン３３による設定確定の指示入力を受付けた主制御部５は、主記憶部６に保存されている速度レベルを読出し、これを添付した速度設定格納指令を制御部２１へ送信する。
これを受信した制御部２１は、速度設定格納指令に添付された速度レベルを、記憶部２２の吸入速度設定記憶エリアに書込んで（既に書込まれている場合は、書替えて）吸入速度の確定された設定を記憶し、格納終了通知を主制御部５へ送信する。
【００３０】
これを受信した主制御部５は、本実施例の吸入速度設定処理を終了させる。
上記のようにして吸入速度が設定された現金自動預払機１は、顧客との取引時において通帳が挿入される場合に、主制御部５は、制御部２１へ通帳読取指令を送信し、これを受信した制御部２１は、記憶部２２の吸入速度設定記憶エリアに記憶されている速度レベルを読出し、上記ステップＳ５と同様にして、読出した速度レベルを基に、通帳搬送路２４の吸入時の搬送速度をその速度レベルとするためのパルス数を抽出し、通帳検出部２３により通帳挿入口９ａから挿入された通帳の先端の検出したときに、抽出したパルス数でステッピングモータ２５を駆動して挿入された通帳を吸入し、その通帳データを読取って主制御部５へ送信する。
【００３１】
取引処理における他の作動は、通常の場合と同様であるのでその説明を省略する。
なお、上記ステップＳ５におけるテスト挿入時に、吸入速度が適当でないときは、係員は吸入速度の設定変更を行うために、再度速度設定ボタン３１を押下し、この選択入力を受付けた主制御部５は、ステップＳ３において、主記憶部６に既に保存されている速度レベルを設定変更された速度レベルに書替え、上記と同様にして、その設定が確定されたときに、通帳取扱部９の記憶部２２の吸入速度設定記憶エリアに設定変更された吸入速度の設定を記憶する。
【００３２】
このように、本実施例の吸入速度設定処理においては、現金自動預払機１毎に通帳吸入速度設定画面を表示して吸入速度の設定を行うことができるので、納入先の多様化した要求に沿った吸入速度の現金自動預払機１を容易に出荷することができる他、納入先においても容易に吸入速度の設定を変更することができるので、例えば、店舗内に設置した現金自動預払機１の取引時における吸入速度を複数設定しておき、操作に慣れて速い方を好む顧客と、操作に不慣れで遅い方を好む顧客とをそれぞれの現金自動預払機１へ振分けるように誘導すれば、顧客はその練度に応じた吸入速度の設定の現金自動預払機１により取引を行うことができ、顧客に通帳吸入時の違和感を与えることなく、現金自動預払機１における操作を快適なものとすることができる。
【００３３】
また、本実施例の吸入速度設定処理においては、選択した吸入速度の設定によるテスト挿入ができるので、係員はテスト挿入により選択した吸入速度の吸入状態を容易に確認することができ、係員が納得した吸入状態で通帳の吸入速度の設定を行うことができる。
なお、本実施例では、上記ステップＳ１において、通帳吸入速度設定画面は操作表示部７の表示画面に表示するとして説明したが、係員操作部１２の画面に表示するようにしてもよい。
【００３４】
以上説明したように、本実施例では、現金自動預払機の通帳取扱部に設定された搬送速度に応じて通帳を搬送する通帳搬送路を設け、通帳吸入速度設定画面から通帳の挿入時の吸入速度の設定の選択入力を受付けて、確定された吸入速度の設定を記憶部の吸入速度設定記憶エリアに記憶しておき、通帳が挿入されたときに、吸入速度設定記憶エリアから吸入速度の設定を読出して、これを通帳の挿入時における通帳搬送路の搬送速度として設定するようにしたことによって、現金自動預払機毎に通帳の吸入速度の設定を行うことが可能になり、多様化した通帳の吸入速度の設定に対する要求に沿った吸入速度の現金自動預払機を即座に製造することができると共に、取引時における現金自動預払機の吸入速度の設定を変更することが可能になり、顧客の練度に応じた吸入速度の設定により通帳吸入時の違和感を軽減することができる。
【００３５】
また、吸入速度の設定時に、通帳のテスト挿入を受付け、テスト挿入の通帳が挿入されたときに、選択された吸入速度の設定をテスト挿入の通帳の挿入時における通帳搬送路の搬送速度として設定するようにしたことによって、係員は、吸入速度の設定時に選択した吸入速度の吸入状態を容易に確認することができる。
【実施例２】
【００３６】
図８は実施例２の出金取引処理を示すフローチャートである。
なお、上記実施例１と同様の部分は、同一の符号を付してその説明を省略する。
本実施例の現金自動預払機１による取引処理においては、上記実施例１と同様にして設定された通帳取扱部９における通帳挿入時の吸入速度の設定を、顧客による選択により変更することが可能になっている。
【００３７】
本実施例の現金自動預払機１における取引処理においては、現金自動預払機１の操作に慣れた顧客向けの「時短モード」、および操作に不慣れな顧客向けの「親切モード」の２つの処理モードが設定され、これらの処理モードの選択が可能になっている。
時短モードが選択されると、操作を優先させるために通帳の吸入速度は速い速度レベルに設定されると共に、既に入力された内容等の再確認を行う確認画面等の表示は省略される。
【００３８】
親切モードが選択されると、確実な操作を優先させるために通帳の吸入速度は遅い速度レベルに設定されると共に、表示する文字を大きくしたり、操作方法の丁寧な解説を加えたりした入力画面や操作依頼画面等の誘導画面が表示される。
なお、処理モードの選択が省略された場合は、上記実施例１で設定された通帳の吸入速度の設定が用いられ、通常の画面を用いた通常モードの取引処理が実行される。
【００３９】
本実施例の現金自動預払機１の主記憶部６には、上記実施例１と同様の取引処理プログラムに、実施例１と同様の吸入速度設定処理プログラム、および取引の開始時等に取引処理における処理モードが選択されたときに、通帳の吸入速度の設定を選択された処理モードに応じて変更する機能を有するアプリケーションプログラム等が追加された業務処理実行プログラムが予め格納されており、主制御部５が実行する業務処理実行プログラムのステップにより本実施例の現金自動預払機１のハードウェアとしての各機能手段が形成される。
【００４０】
また、主記憶部６には、上記実施例１と同様にして確定された吸入速度の設定がデフォルトレベル（本実施例では、速度レベル「３」）として格納され、処理モードとして時短モードが選択されたときに用いる吸入速度の設定が時短レベル（本実施例では、速度レベル「１」）として格納され、処理モードとして親切モードが選択されたときに用いる吸入速度の設定が親切レベル（本実施例では、速度レベル「５」）として格納されている。
【００４１】
本実施例のホストコンピュータ２には、上記実施例１と同様の勘定方管理プログラムが予めインストールされており、ホストコンピュータ２が実行する勘定方管理プログラムのステップにより本実施例のホストコンピュータ２のハードウェアとしての各機能手段が形成される。
通帳取扱部９の記憶部２２には、上記実施例１と同様の通帳処理プログラムが予め格納されており、制御部２１が実行する通帳処理プログラムのステップにより本実施例の通帳取扱部９のハードウェアとしての各機能手段が形成される。
【００４２】
また、記憶部２２には、上記実施例１と同様の吸入速度設定記憶エリアが確保されると共に実施例１と同様の吸入速度設定表が格納されている。
以下に、図８に示すフローチャートを用い、ＳＡで示すステップに従って本実施例の現金自動預払機による出金取引処理について説明する。
金融機関の店舗の係員が、始業時等に現金自動預払機１へ電源を投入すると、現金自動預払機１の主記憶部６に格納されている業務処理実行プログラムが自動的に起動される。
【００４３】
ＳＡ１、業務処理実行プログラムが起動すると、現金自動預払機１の主制御部５はその操作表示部７の表示画面に、図９に示す取引選択画面を表示して待機する。
取引選択画面には、取引選択ボタン３６の押下を促す旨の文言と、出金取引のための「お引き出し」ボタン、入金取引のための「お預け入れ」ボタン、振込取引のための「お振り込み」ボタン、口座残高を照会する残高照会取引のための「残高照会」ボタン、通帳に未記入の取引データを記帳する通帳記帳取引のための「通帳記帳」ボタン等の取引を選択するための取引選択ボタン３６、および「時短モード」ボタンおよび「親切モード」ボタンからなる処理モードを選択するためのモード選択ボタン３７等が表示されている。
【００４４】
本実施例では、顧客は出金取引を選択し、操作表示部７の表示画面から入力手段によって「お引き出し」ボタンおよびいずれかのモード選択ボタン３７を押下する。
ＳＡ２、主制御部５は、取引選択ボタン３６およびモード選択ボタン３７の押下を待って待機しており、取引選択ボタン３６による取引の選択入力を操作表示部７の入力手段により受付けたときに、その時計機能により経過時間の計測を開始し、所定の時間内にモード選択ボタン３７による処理モードの選択入力を受付けたとき（先にモード選択ボタン３７が押下された場合を含む。）にステップＳＡ３へ移行する。所定の時間を経過してもモード選択ボタン３７が押下されない場合はステップＳＡ６へ移行する。
【００４５】
ＳＡ３、取引選択ボタン３６による選択入力、およびモード選択ボタン３７による選択入力を受付けた主制御部５は、その取引選択ボタン３６およびモード選択ボタン３７の画面上の位置により選択された取引の内容、および選択された処理モードを認識し、認識した処理モードが時短モードの場合はステップＳＡ４へ、認識した処理モードが親切モードの場合はステップＳＡ５へ移行する。
【００４６】
ＳＡ４、処理モードを時短モードと認識した主制御部５は、主記憶部６に格納されている時短レベルを読出し、その速度レベルを添付した速度設定格納指令を通帳取扱部９の制御部２１へ送信する。
これを受信した制御部２１は、速度設定格納指令に添付された速度レベルを、記憶部２２の吸入速度設定記憶エリアに書込んで（既に書込まれている場合は、書替えて）吸入速度の設定を記憶し、格納終了通知を主制御部５へ送信する。これを受信した主制御部５はステップＳＡ７へ移行する。
【００４７】
ＳＡ５、処理モードを親切モードと認識した主制御部５は、主記憶部６に格納されている親切レベルを読出し、その速度レベルを添付した速度設定格納指令を通帳取扱部９の制御部２１へ送信する。
これを受信した制御部２１は、上記ステップＳＡ４と同様にして吸入速度設定記憶エリアに吸入速度の設定を記憶し、格納終了通知を主制御部５へ送信する。これを受信した主制御部５はステップＳＡ７へ移行する。
【００４８】
ＳＡ６、処理モードが選択されなかったことにより、処理モードを通常モードと認識した主制御部５は、主記憶部６に格納されているデフォルトレベルを読出し、その速度レベルを添付した速度設定格納指令を通帳取扱部９の制御部２１へ送信する。
これを受信した制御部２１は、上記ステップＳＡ４と同様にして吸入速度設定記憶エリアに吸入速度の設定を記憶し、格納終了通知を主制御部５へ送信する。これを受信した主制御部５はステップＳＡ７へ移行する。
【００４９】
ＳＡ７、通帳取扱部９の吸入速度の設定を終えた主制御部５は、認識した取引処理（本実施例では、出金取引処理）の実行を開始するために、操作表示部７の表示画面に取引カードの挿入を促す旨の文言等を表示した取引カード挿入依頼画面を表示し、顧客はこれに従って取引カードをカード取扱部８のカード挿入口８ａに挿入する。
このとき、主制御部５はカード取扱部８によって、取引カードに記録されている顧客ＩＤ等のカード情報を読取り、読取ったカード情報を主記憶部６に一時保存する。
【００５０】
この場合に、親切モードが選択されているときは、取引カード挿入依頼画面には前記の他に、カード挿入口８ａの位置を示すイラストや、取引カードの挿入方向等の操作方法等が表示される。
ＳＡ８、カード情報を読取った主制御部５は、操作表示部７の表示画面に通帳の挿入を促す旨の文言等を表示した通帳挿入依頼画面を表示すると共に、通帳取扱部９の制御部２１へ通帳読取指令を送信し、これを受信した制御部２１は、記憶部２２の吸入速度設定記憶エリアに記憶されている速度レベルを読出し、上記実施例１のステップＳ５と同様にして、読出した速度レベルを基に、通帳搬送路２４の吸入時の搬送速度をその速度レベルとするためのパルス数を抽出し、通帳検出部２３による通帳の挿入の検出を待って待機する。
【００５１】
そして、顧客が通帳を通帳取扱部９の通帳挿入口９ａへ挿入すると、制御部２１は、通帳挿入口９ａから挿入された通帳の先端の検出したときに、抽出したパルス数でステッピングモータ２５を駆動して挿入された通帳を吸入し、その通帳データを読取って主制御部５へ送信する。これを受信した主制御部５はステップＳＡ９へ移行する。
この場合に、一定の時間を経過しても通帳の挿入がなされない場合は、制御部２１は通帳記帳の必要がないと判定してその旨を主制御部５へ通知し、主制御部５はステップＳＡ９へ移行する。
【００５２】
また、時短モードが選択されているときは、上記ステップＳＡ７において、取引カードの挿入と、通帳の挿入とを同時に促す操作依頼画面を表示して、取引時間の短縮が図られる。
更に、親切モードが選択されているときは、通帳挿入依頼画面には前記の他に、通帳挿入口９ａの位置を示すイラストや、通帳の挿入方法等の操作方法等が表示される。
【００５３】
ＳＡ９、カード情報および通帳情報を読取った主制御部５は、その後の出金取引処理を実行する。
この場合の出金取引処理の作動は、選択された処理モードによって、表示される画面が異なる以外は、通常の場合と同様の手順であるのでその説明を省略する。
そして、選択された出金取引処理の実行を終えた主制御部５は、出金取引処理を終了させ、ステップＳＡ１へ戻って操作表示部７の表示画面に取引選択画面を表示して待機する。
【００５４】
このように、本実施例の出金取引処理においては、現金自動預払機１を用いた取引毎に顧客が取引選択画面から吸入速度の設定を行うことができるので、顧客の現金自動預払機１における操作の慣れ不慣れに応じて、通帳の吸入速度を設定することができ、顧客に通帳吸入時の違和感を与えることなく、現金自動預払機１における操作を快適なものとすることができる。
【００５５】
なお、本実施例では、上記ステップＳＡ１において、取引選択画面にモード選択ボタン３７を表示して顧客に選択させるとして説明したが、通常の取引選択画面を表示しておき、取引選択後の次画面として、モード選択ボタン３７を表示した処理モード選択画面を表示するようにしてもよい。
以上説明したように、本実施例では、上記実施例１と同様の効果に加えて、顧客との取引時に、通帳の挿入時の吸入速度の設定の選択入力を受付け、その選択された吸入速度の設定を記憶部の吸入速度設定記憶エリアに記憶しておき、通帳が挿入されたときに、吸入速度設定記憶エリアから吸入速度の設定を読出して、これを通帳の挿入時における通帳搬送路の搬送速度として設定するようにしたことによって、顧客の現金自動預払機における操作の練度に応じて、通帳の吸入速度を設定することができ、顧客の通帳吸入時における違和感を更に軽減することができる。
【００５６】
なお、上記実施例１および本実施例においては、媒体取扱装置としての通帳取扱部に媒体としての通帳を挿入する場合を例に説明したが、媒体取扱装置としてのカード取扱部に媒体としての取引カードを挿入する場合に適用しても、同様の効果を得ることができる。
【実施例３】
【００５７】
図１０は実施例３の出金取引処理を示すフローチャートである。
なお、上記実施例１と同様の部分は、同一の符号を付してその説明を省略する。
本実施例の現金自動預払機１による取引処理においては、上記実施例１と同様にして設定された通帳取扱部９における通帳挿入時の吸入速度の設定を、顧客毎に設定することが可能になっている。
【００５８】
このため、本実施例の上位装置としてのホストコンピュータ２には、顧客ＩＤに対応させて格納されている顧客情報に、顧客が設定した通帳の吸入速度の速度レベルが登録される。
なお、本実施例では、顧客ＩＤとして顧客の口座の口座番号が用いられる。
本実施例の現金自動預払機１の主記憶部６には、上記実施例１と同様の取引処理プログラムに、実施例１と同様の吸入速度設定処理プログラム、および取引時に顧客により設定された取引処理における通帳の吸入速度の設定をホストコンピュータ２へ登録し、顧客との取引時に登録された通帳の吸入速度の設定を取得し、それに従って通帳の吸入速度の設定を行う機能を有するアプリケーションプログラム等が追加された業務処理実行プログラムが予め格納されており、主制御部５が実行する業務処理実行プログラムのステップにより本実施例の現金自動預払機１のハードウェアとしての各機能手段が形成される。
【００５９】
また、主記憶部６には、上記実施例１と同様にして確定された吸入速度の設定がデフォルトレベル（本実施例では、速度レベル「３」）として格納されると共に、取引に用いる速度レベルを一時保存するための速度レベル保存エリアが確保されている。
本実施例のホストコンピュータ２には、上記実施例１と同様の勘定方管理プログラムに、現金自動預払機１からの顧客ＩＤと吸入速度の設定とが添付された吸入速度設定登録依頼を受信したときに、その顧客ＩＤに対応する顧客情報に受信した吸入速度の設定を格納して登録し、現金自動預払機１からの顧客ＩＤが添付された吸入速度設定送信要求を受信したときに、その顧客ＩＤに対応する顧客情報から吸入速度の設定を読出して返信する機能を有するアプリケーションプログラムが追加されたホスト業務実行プログラムが予めインストールされており、ホストコンピュータ２が実行するホスト業務実行プログラムのステップにより本実施例のホストコンピュータ２のハードウェアとしての各機能手段が形成される。
【００６０】
通帳取扱部９の記憶部２２には、上記実施例１と同様の通帳処理プログラムが予め格納されており、制御部２１が実行する通帳処理プログラムのステップにより本実施例の通帳取扱部９のハードウェアとしての各機能手段が形成される。
また、記憶部２２には、上記実施例１と同様の吸入速度設定記憶エリアが確保されると共に実施例１と同様の吸入速度設定表が格納されている。
【００６１】
以下に、図１０に示すフローチャートを用い、ＳＢで示すステップに従って本実施例現金自動預払機による出金取引処理について説明する。
金融機関の店舗の係員が、始業時等に現金自動預払機１へ電源を投入すると、現金自動預払機１の主記憶部６に格納されている業務処理実行プログラムが自動的に起動される。
ＳＢ１、業務処理実行プログラムが起動すると、現金自動預払機１の主制御部５はその操作表示部７の表示画面に、通常の取引選択画面（図９に示すモード選択ボタン３７が表示されていない画面）表示して待機する。
【００６２】
本実施例では、顧客は出金取引を選択し、操作表示部７の表示画面から入力手段によって「お引き出し」ボタンを押下する。
ＳＢ２、取引選択ボタン３６による取引の選択入力を操作表示部７の入力手段により受付けた主制御部５は、その取引選択ボタン３６の画面上の位置により選択された取引の内容を認識し、認識した出金取引処理の実行を開始するために、操作表示部７の表示画面に取引カードの挿入を促す旨の文言等を表示した取引カード挿入依頼画面を表示し、顧客はこれに従って取引カードをカード取扱部８のカード挿入口８ａに挿入する。
【００６３】
このとき、主制御部５はカード取扱部８によって、取引カードに記録されている顧客ＩＤ等のカード情報を読取り、読取ったカード情報を主記憶部６に一時保存する。
ＳＢ３、カード情報を読取った主制御部５は、顧客が設定した通帳の吸入速度の設定を取得するために、ホストコンピュータ２との間での交信処理を行う。
すなわち、主制御部５は、カード情報から顧客ＩＤを読出して取引を行っている顧客の顧客ＩＤを認識し、認識した顧客ＩＤを添付した吸入速度設定送信要求を通信回線３を介してホストコンピュータへ送信する。
【００６４】
これを受信したホストコンピュータ２は、吸入速度設定送信要求に添付された顧客ＩＤを基に顧客情報を検索して該当する顧客情報を特定し、そこに登録されている吸入速度の速度レベルを読出し、その速度レベルを送信元の現金自動預払機１へ通信回線３を介して送信する。
なお、新規顧客等の理由により、吸入速度の設定が登録されていない顧客の場合は、その旨を添付した不登録通知が、現金自動預払機１へ送信される
ＳＢ４、ホストコンピュータ２からの速度レベルを受信した主制御部５は、受信した速度レベルを主記憶部６の速度レベル保存エリアに保存する。
【００６５】
なお、不登録通知を受信した場合には、主制御部５は、主記憶部６に格納されているデフォルトレベルを読出し、その速度レベルを主記憶部６の速度レベル保存エリアに保存する。
速度レベルを保存した主制御部５は、操作表示部７の表示画面に、図１１に示す吸入速度設定変更要否確認画面を表示する。
【００６６】
吸入速度設定変更要否確認画面には、吸入速度の設定変更の要否を問合せる旨の文言、および吸入速度の設定の変更を指示するための速度設定変更ボタン３８、変更しない旨を指示するための取消ボタン３９等が表示される。
顧客は、吸入速度の設定を変更するときは速度設定変更ボタン３８を、変更しないときは取消ボタン３９を押下する。
【００６７】
ＳＢ５、吸入速度設定変更要否確認画面を表示した主制御部５は、速度設定変更ボタン３８による吸入速度の設定変更の指示入力を操作表示部７の入力手段により受付けたときはステップＳＢ６へ、取消ボタン３９による設定変更をしない旨の指示入力を受付けたときはステップＳＢ１１へ移行する。
この場合に、吸入速度設定変更要否確認画面の表示後に、所定の時間経過しても速度設定変更ボタン３８や取消ボタン３９が押下されない場合は、設定変更をしない旨の指示入力を受付けたと判定してステップＳＢ１１へ移行する。
【００６８】
ＳＢ６、速度設定変更ボタン３８による指示入力を受付けた主制御部５は、吸入速度設定処理プログラムにより、操作表示部７の表示画面に、図１２に示す通帳吸入速度設定画面を表示する。
通帳吸入速度設定画面には、図７に示した通帳吸入速度設定画面と同様の複数の速度設定ボタン３１や確認ボタン３３、取消ボタン３４、および現在設定されている速度レベルの表示欄４０等が表示される。
【００６９】
顧客は、表示欄４０に表示された現在の速度レベルを参照し、通帳の吸入速度の設定変更を行うときは、その吸入速度の速度レベルを表示した速度設定ボタン３１を、選択した吸入速度の設定を確定するときは確認ボタン３３を、吸入速度の設定変更を取止めるときは取消ボタン３４を押下する。
ＳＢ７、主制御部５は、速度設定ボタン３１の押下を待って待機しており、速度設定ボタン３１による吸入速度の設定の選択入力を操作表示部７の入力手段により受付けたときにステップＳＢ８へ移行する。速度設定ボタン３１が押下されない場合はステップＳＢ９へ移行する。
【００７０】
ＳＢ８、速度設定ボタン３１による選択入力を受付けた主制御部５は、その速度設定ボタン３１の画面上の位置により速度レベルを認識し、認識した速度レベルを表示欄４０に表示すると共に、主記憶部６の速度レベル保存エリアに既に書込まれている速度レベルを選択された速度レベルに書替えて保存する。
ＳＢ９、主制御部５は、取消ボタン３４の押下を待って待機しており、取消ボタン３４による設定変更取止めの指示入力を操作表示部７の入力手段により受付けたときに、吸入速度設定処理を終了させてステップＳＢ１１へ移行する。取消ボタン３４が押下されない場合はステップＳＢ１０へ移行する。
【００７１】
ＳＢ１０、主制御部５は、確認ボタン３３の押下を待って待機しており、確認ボタン３３による設定確定の指示入力を操作表示部７の入力手段により受付けたときに、選択された速度レベルが確定されたことを認識してステップＳＢ１１へ移行する。確認ボタン３３が押下されない場合は、ステップＳＢ７へ戻り、ステップＳＢ７、ＳＢ９、ＳＢ１０による待機を継続する。
【００７２】
この場合に、再び速度設定ボタン３１が押下されたときは、上記ステップＳＢ８が再度実行される。
ＳＢ１１、取消ボタン３９による設定変更をしない旨の指示入力、または取消ボタン３４による設定変更取止めの指示入力、または選択された速度レベルが確定されたことを認識した主制御部５は、主記憶部６の速度レベル保存エリアに保存されている速度レベルを読出し、これを添付した速度設定格納指令を制御部２１へ送信する。
【００７３】
これを受信した制御部２１は、上記実施例２のステップＳＡ４と同様にして、吸入速度設定記憶エリアに吸入速度の設定を記憶し、格納終了通知を主制御部５へ送信する。これを受信した主制御部５はステップＳＢ１２へ移行する。
ＳＢ１２、通帳取扱部９の吸入速度の設定を終えた主制御部５は、上記実施例２のステップＳＡ８と同様にして、操作表示部７の表示画面に通帳挿入依頼画面を表示し、制御部２１からの通帳データを受信してステップＳＢ１３へ移行する。
【００７４】
ＳＢ１３、カード情報および通帳情報を読取った主制御部５は、その後の出金取引処理を実行する。
この場合の出金取引処理の作動は、通常の場合と同様であるのでその説明を省略する。
ＳＢ１４、選択された出金取引処理の実行を終えた主制御部５は、上記ステップＳＢ４において速度設定変更ボタン３８が押下された場合、または不登録通知を受信した場合は吸入速度の設定の登録が必要と判定してステップＳＢ１５へ移行する。
【００７５】
前記以外の場合は、出金取引処理を終了させ、ステップＳＢ１へ戻って操作表示部７の表示画面に取引選択画面を表示して待機する。
ＳＢ１５、吸入速度の設定の登録が必要と判定した主制御部５は、主記憶部６に一時保存したカード情報から顧客ＩＤを読出すと共に、主記憶部６の速度レベル保存エリアに保存されている速度レベルを読出し、顧客ＩＤと吸入速度の速度レベルとを添付した吸入速度設定登録依頼を、通信回線３を介してホストコンピュータへ送信し、出金取引処理を終了させてステップＳＢ１へ戻り、操作表示部７の表示画面に取引選択画面を表示して待機する。
【００７６】
一方、吸入速度設定登録依頼を受信したホストコンピュータ２は、吸入速度設定登録依頼に添付された顧客ＩＤを基に顧客情報を検索して該当する顧客情報を特定し、そこに受信した吸入速度の速度レベルを書込んで（既に登録されている場合は、書替えて）顧客の設定した吸入速度の設定を登録する。
このように、本実施例の出金取引処理においては、現金自動預払機１を用いる顧客毎に顧客が設定した吸入速度の設定をホストコンピュータ２へ登録し、これを用いて取引を行うので、顧客は自己の現金自動預払機１における操作の練度に応じて、自ら設定した通帳の吸入速度を設定することができ、顧客が通帳吸入時に違和感を覚えることなく、現金自動預払機１における操作を快適に行うことができる。
【００７７】
以上説明したように、本実施例では、上記実施例１と同様の効果に加えて、ホストコンピュータに、顧客ＩＤに対応させて顧客が設定した通帳の挿入時の吸入速度の設定を登録しておき、顧客との取引時に、認識した顧客ＩＤを基にホストコンピュータから登録された吸入速度の設定を取得し、これを通帳の挿入時における通帳搬送路の搬送速度として設定するようにしたことによって、顧客は自己の現金自動預払機における操作の練度に応じて、自ら設定した通帳の吸入速度により現金自動預払機における操作を行うことができ、通帳吸入時に違和感を覚えることなく取引を行うことができる。
【００７８】
なお、本実施例においては、媒体取扱装置としての通帳取扱部に媒体としての通帳を挿入する場合を例に説明したが、媒体取扱装置としてのカード取扱部に媒体としての取引カードを挿入する場合に適用しても同様の効果を得ることができる。この場合において顧客ＩＤを認識するときは、取引カード挿入依頼画面を表示する前に、顧客に顧客ＩＤを入力させて顧客ＩＤを認識するようにするとよい。
【００７９】
また、本実施例においては、ホストコンピュータに顧客ＩＤに対応させて顧客が設定した通帳の挿入時の吸入速度の設定を登録しておくと説明したが、ホストコンピュータに代えて取引カードの磁気ストライプやＩＣチップ等に記録するようにしてもよい。
更に、上記実施例２および本実施例においては、現金自動預払機が出金取引処理を行う場合を例に説明したが、他の取引処理の場合も同様である。
【００８０】
更に、上記各実施例においては、吸入速度の設定は媒体取扱装置の記憶部に記憶するとして説明したが、主記憶部に記憶しておき、主制御部が媒体の情報を読取る指令を送信するときに主記憶部から読出して添付するようにしてもよい。
更に、上記各実施例においては、顧客ＩＤは口座番号であるとして説明したが、顧客ＩＤは前記に限らず、顧客を個別に識別する識別記号（数字を含む。）を設定して取引カードに記録するようにしてもよい。
【図面の簡単な説明】
【００８１】
【図１】実施例１の現金自動預払機を示すブロック図
【図２】実施例１の現金自動預払機を示す斜視図
【図３】実施例１の通帳取扱部を示すブロック図
【図４】実施例１の通帳取扱部の概略構成を示す説明図
【図５】実施例１のステッピングモータのパルステーブルを示す説明図
【図６】実施例１の吸入速度設定処理を示すフローチャート
【図７】実施例１の通帳吸入速度設定画面の表示例を示す説明図
【図８】実施例２の出金取引処理を示すフローチャート
【図９】実施例２の取引選択画面の表示例を示す説明図
【図１０】実施例３の出金取引処理を示すフローチャート
【図１１】実施例２の吸入速度設定変更要否確認画面の表示例を示す説明図
【図１２】実施例１の通帳吸入速度設定画面の表示例を示す説明図
【符号の説明】
【００８２】
１    現金自動預払機
２    ホストコンピュータ
３    通信回線
５    主制御部
６    主記憶部
７    操作表示部
８    カード取扱部
８ａ  カード挿入口
９    通帳取扱部
９ａ  通帳挿入口
１０  紙幣入出金部
１０ａ  紙幣入出金口
１１  硬貨入出金部
１１ａ  硬貨入出金口
１２  係員操作部
２１  制御部
２２  記憶部
２３  通帳検出部
２４  通帳搬送路
２５  ステッピングモータ
２６ａ  上部搬送ローラ
２６ｂ  下部搬送ローラ
３１  速度設定ボタン
３２  テストボタン
３３  確認ボタン
３４、３９  取消ボタン
３５、４０  表示欄
３６  取引選択ボタン
３７  モード選択ボタン
３８  速度設定変更ボタン
【図１】
2008210122.tif 000003
【図２】
2008210122.tif 000004
【図３】
2008210122.tif 000005
【図４】
2008210122.tif 000006
【図５】
2008210122.tif 000007
【図６】
2008210122.tif 000008
【図７】
2008210122.tif 000009
【図８】
2008210122.tif 000010
【図９】
2008210122.tif 000011
【図１０】
2008210122.tif 000012
【図１１】
2008210122.tif 000013
【図１２】
2008210122.tif 000014